【手続補正書】
【提出日】令和2年11月27日(2020.11.27)
【手続補正１】
【補正対象書類名】明細書
【補正対象項目名】０１４６
【補正方法】変更
【補正の内容】
【０１４６】
本明細書で言及した全ての参考文献及び刊行物は、これらが本開示に直接矛盾し得る場合を除き、これらの全体が参照により本開示に明示的に組み込まれる。具体的な実施形態を本明細書において例示し記述したが、様々な代替及び／又は同等の実施により、図示及び記載した具体的な実施形態を、本開示の範囲を逸脱することなく置き換え可能であることが、当業者には理解されるであろう。本出願は、本明細書において説明した具体的な実施形態のあらゆる適合例又は変形例を包含することを意図する。したがって、本開示は、特許請求の範囲及びその同等物によってのみ限定されるものとする。開示された実施形態は例示目的で提示されており、限定を目的とするものではない。以下、例示的実施形態について述べる。
［１］
透明なポリマー基材層と、
前記透明なポリマー基材層上に配置された透明なエネルギー散逸層と、
を備え、前記透明なエネルギー散逸層が、架橋ポリウレタン及びポリアクリレートポリマーを含み、前記透明なエネルギー散逸層が、２７℃以下のガラス転移温度及び０．５以上のＴａｎδピーク値を有する、ディスプレイフィルム。
［２］
前記透明なエネルギー散逸層が、光開始剤及び触媒を更に含む、［１］に記載のディスプレイフィルム。
［３］
前記透明なエネルギー散逸層が、１重量％〜５０重量％の前記ポリアクリレートポリマーを含み、前記透明なエネルギー散逸層が、５０重量％〜９９重量％の前記架橋ポリウレタンポリマーを含む、［１］又は［２］に記載のディスプレイフィルム。
［４］
前記ポリアクリレートポリマーが、１重量％〜２０重量％の量、又は２重量％〜１５重量％の量、又は３重量％〜１０重量％の量で前記透明なエネルギー散逸層内に存在し、前記透明なエネルギー散逸層が、８０重量％〜９９重量％、又は８５重量％〜９８重量％、又は９０重量％〜９７重量％の前記架橋ポリウレタンポリマーを含む、［１］〜［３］のいずれか一項に記載のディスプレイフィルム。
［５］
前記ポリアクリレートポリマーが架橋されている、［１］〜［４］のいずれか一項に記載のディスプレイフィルム。
［６］
前記ポリアクリレートポリマーが、ポリアクリレートホモポリマーである、［１］〜［５］のいずれか一項に記載のディスプレイフィルム。
［７］
前記ポリアクリレートポリマーが、アクリレート及びウレタンセグメント、又はアクリレート及びウレタン相溶性セグメントを含む、［１］〜［５］のいずれか一項に記載のディスプレイフィルム。
［８］
前記ディスプレイフィルムは、５％未満、又は３％未満、又は１％未満、又は１％未満のヘイズ値を有し、前記ディスプレイフィルムが、８５％超又は９０％超の可視光透過率を有し、前記ディスプレイフィルムが、９０％超又は９５％超又は９７．５％超の透明度値を有する、［１］〜［７］のいずれか一項に記載のディスプレイフィルム。
［９］
前記透明なエネルギー散逸層が、１５℃以下、１０℃以下、５℃以下、又は０℃以下、又は−５℃以下、又は−４０〜１５℃の範囲内、又は−３０〜１５℃の範囲内、又は−３０〜１０℃の範囲内、又は−３０〜５℃の範囲内、又は−３０〜０℃の範囲内、又は−２０〜０℃の範囲内のガラス転移温度を有する、［１］〜［８］のいずれか一項に記載のディスプレイフィルム。
［１０］
前記透明なエネルギー散逸層が、０．５以上、又は０．８以上、又は１．０以上、又は１．２以上、又は０．５〜２．５の範囲内、又は１〜２．５の範囲内のＴａｎδピーク値を有し、前記架橋ポリウレタンが、０．１〜１．０ｍｏｌ／ｋｇ、又は０．２〜０．９ｍｏｌ／ｋｇ、又は０．３７〜０．７４ｍｏｌ／ｋｇの範囲内の架橋密度を有する、［１］〜［９］のいずれか一項に記載のディスプレイフィルム。
［１１］
前記透明なポリマー基材層に配置された保護層を更に含み、前記透明なポリマー基材層が前記透明なエネルギー散逸層を前記保護層から分離している、［１］〜［１０］のいずれか一項に記載のディスプレイフィルム。
［１２］
前記透明なエネルギー散逸層上に配置された接着剤層を更に含み、前記透明なエネルギー散逸層が、前記透明なポリマー基材層を前記接着剤層から分離している、［１］〜［１１］のいずれか一項に記載のディスプレイフィルム。
［１３］
前記保護層が、ナノ粒子を含み、２〜３０マイクロメートル、又は２〜１５マイクロメートル、又は３〜１０マイクロメートルの範囲内の厚さを有する、［１０］に記載のディスプレイフィルム。
［１４］
前記透明なポリマー基材層が、１０〜１２５マイクロメートル、又は２５〜１００マイクロメートル、又は３０〜８５マイクロメートルの範囲の厚さと、９０ＭＰａ超、又は１００ＭＰａ超、又は１２０ＭＰａ超、又は１６０ＭＰａ超の降伏応力値と、を有する、［１］〜［１３］のいずれか一項に記載のディスプレイフィルム。
［１５］
前記ディスプレイフィルムが、８５〜３５０マイクロメートル、又は１００〜３００マイクロメートル、又は１５０〜２５０マイクロメートルの範囲の厚さを有する、［１］〜［１４］のいずれか一項に記載のディスプレイフィルム。
［１６］
架橋ポリウレタン及びポリアクリレートポリマーを含み、２７℃以下のガラス転移温度及び０．５以上のＴａｎδピーク値を有する、透明なエネルギー散逸層と、
前記透明なエネルギー散逸層上に配置された透明な保護層と、
を備えるディスプレイフィルム。
［１７］
前記透明なエネルギー散逸層が、光開始剤及び触媒を更に含む、［１６］に記載のディスプレイフィルム。
［１８］
前記透明なエネルギー散逸層が、１重量％〜５０重量％の前記ポリアクリレートポリマーを含み、前記透明なエネルギー散逸層が、５０重量％〜９９重量％の前記架橋ポリウレタンポリマーを含む、［１６］又は［１７］に記載のディスプレイフィルム。
［１９］
前記ポリアクリレートポリマーが、前記透明なエネルギー散逸層中に、１重量％〜２０重量％の量、又は２重量％〜１５重量％の量、又は３重量％〜１０重量％の量で存在する、［１６］又は［１７］に記載のディスプレイフィルム。
［２０］
前記ポリアクリレートポリマーが架橋されている、［１６］〜［１９］のいずれか一項に記載のディスプレイフィルム。
［２１］
前記ポリアクリレートポリマーが、ポリアクリレートホモポリマーである、［１６］〜［２０］のいずれか一項に記載のディスプレイフィルム。
［２２］
前記ポリアクリレートポリマーが、アクリレート及びウレタンセグメント、又はアクリレート及びウレタン相溶性セグメントを含む、［１６］〜［２０］のいずれか一項に記載のディスプレイフィルム。
［２３］
前記ディスプレイフィルムが、５％未満、又は３％未満、又は２％未満、又は１％未満のヘイズ値、及び８５％超又は９０％超の可視光透過率、９０％超又は９５％超又は９７．５％超の透明度値を有する、［１６］〜［２２］のいずれか一項に記載のディスプレイフィルム。
［２４］
前記透明なエネルギー散逸層が、１５℃以下、１０℃以下、５℃以下、又は０℃以下、又は−５℃以下、又は−４０〜１５℃の範囲内、又は−３０〜１５℃の範囲内、又は−３０〜１０℃の範囲内、又は−３０〜５℃の範囲内、又は−３０〜０℃の範囲内、又は−２０〜０℃の範囲内のガラス転移温度を有する、［１６］〜［２３］のいずれか一項に記載のディスプレイフィルム。
［２５］
前記透明なエネルギー散逸層が、０．５以上、又は０．８以上、又は１．０以上、又は１．２以上、又は０．５〜２．５の範囲内、又は１〜２．５の範囲内のＴａｎδピーク値を有し、前記架橋ポリウレタンが、０．１〜１．０ｍｏｌ／ｋｇ、又は０．２〜０．９ｍｏｌ／ｋｇ、又は０．３７〜０．７４ｍｏｌ／ｋｇの範囲内の架橋密度を有する、［１６］〜［２４］のいずれか一項に記載のディスプレイフィルム。
［２６］
前記保護層が、ナノ粒子を含み、かつ２〜３０マイクロメートル、又は２〜１５マイクロメートル、又は３〜１０マイクロメートルの範囲の厚さを有するハードコート層である、［１６］〜［２５］のいずれか一項に記載のディスプレイフィルム。
［２７］
前記保護層が、２５〜２５０マイクロメートル、又は２５〜１５０マイクロメートル、又は２５〜１００マイクロメートルの範囲の厚さを有するガラス層である、［１６］〜［２６］のいずれか一項に記載のディスプレイフィルム。
［２８］
前記透明なエネルギー散逸層上に配置された接着剤層を更に含み、前記透明なエネルギー散逸層が、前記保護層を前記接着剤層から分離している、［１６］〜［２７］のいずれか一項に記載のディスプレイフィルム。
［２９］
前記接着剤層上に配置された剥離ライナー又は取外し可能なライナーを更に含む、［２８］に記載のディスプレイフィルム。
［３０］
前記保護層上に配置された剥離ライナー又は取外し可能なライナーを更に含む、［２９］に記載のディスプレイフィルム。
［３１］
前記透明なエネルギー散逸層が、７５〜２００マイクロメートル、又は１００〜２００マイクロメートル、又は１５０〜２００マイクロメートルの範囲の厚さを有する、［１６］〜［３０］のいずれか一項に記載のディスプレイフィルム。
［３２］
前記ディスプレイフィルムが、８５〜３５０マイクロメートル、又は１００〜３００マイクロメートル、又は１５０〜２５０マイクロメートルの範囲の厚さを有する、［１６］〜［３１］のいずれか一項に記載のディスプレイフィルム。
［３３］
光学ディスプレイと、
［１］〜［３２］のいずれか一項に記載のディスプレイフィルムと、
前記ディスプレイフィルムを前記光学ディスプレイに固定する光学接着剤層と、
を備える物品。
［３４］
前記光学ディスプレイが、有機発光ダイオードを含む、［３３］に記載の物品。
［３５］
前記光学ディスプレイ及びディスプレイフィルムが、前記光学ディスプレイがそれ自体に向き合い、前記ディスプレイフィルムの少なくとも一部分が前記ディスプレイフィルムの別の部分と重なり合うように、折り畳み可能である、［３３］又は［３４］に記載の物品。
［３６］
ポリウレタン前駆体材料をポリアクリレート前駆体材料と組み合わせて前駆体混合物を形成することと、
前記前駆体混合物内の前記ポリアクリレート前駆体材料を選択的に重合して、ｂ段階材料を形成することと、
前記ｂ段階材料内の前記ポリウレタン前駆体材料を選択的に架橋して、透明なエネルギー散逸層を形成することと、
を含み、前記透明なエネルギー散逸層は、架橋ポリウレタン及びポリアクリレートポリマーを含み、前記透明なエネルギー散逸層は、２７℃以下のガラス転移温度及び０．５以上のＴａｎδピーク値を有する、方法。
［３７］
前記組み合わせる工程が、触媒材料を前記ポリウレタン前駆体材料と組み合わせることと、光開始剤を前記ポリアクリレート前駆体材料と組み合わせることを含む、［３６］に記載の方法。
［３８］
前記ポリアクリレート前駆体材料が、多官能性アクリレートモノマー又はオリゴマーを含み、架橋ポリアクリレートを形成する、［３６］又は［３７］に記載の方法。
［３９］
前記ポリアクリレート前駆体材料が、脂肪族ウレタンアクリレートオリゴマーを含む、［３６］又は［３７］に記載の方法。
［４０］
前記ポリアクリレート前駆体材料工程を選択的に重合する工程が、前記ポリアクリレート前駆体材料を光硬化させて、前記ｂ段階材料を形成することを含み、前記ポリウレタン前駆体材料を選択的に架橋する工程が、前記ポリウレタン前駆体材料を熱硬化させて架橋ポリウレタンポリマーを形成することを含む、［３６］〜［３９］のいずれか一項に記載の方法。
［４１］
前記ポリアクリレートポリマーが、１重量％〜２０重量％の量、又は２重量％〜１５重量％の量、又は３重量％〜１０重量％の量で前記透明なエネルギー散逸層内に存在し、前記透明なエネルギー散逸層が、８０重量％〜９９重量％、又は８５重量％〜９８重量％、又は９０重量％〜９７重量％の前記架橋ポリウレタンポリマーを含む、［３６］〜［４０］のいずれか一項に記載の方法。
［４２］
前記前駆体混合物の層を基材上に配置することを更に含む、［３６］〜［４１］のいずれか一項に記載の方法。
【手続補正２】
【補正対象書類名】特許請求の範囲
【補正対象項目名】全文
【補正方法】変更
【補正の内容】
【特許請求の範囲】
【請求項１】
透明なポリマー基材層と、
前記透明なポリマー基材層上に配置された透明なエネルギー散逸層と、
を備え、前記透明なエネルギー散逸層が、架橋ポリウレタン及びポリアクリレートポリマーを含み、前記透明なエネルギー散逸層が、２７℃以下のガラス転移温度及び０．５以上のＴａｎδピーク値を有する、ディスプレイフィルム。
【請求項２】
前記透明なポリマー基材層が、１０〜１２５マイクロメートル、又は２５〜１００マイクロメートル、又は３０〜８５マイクロメートルの範囲の厚さと、９０ＭＰａ超、又は１００ＭＰａ超、又は１２０ＭＰａ超、又は１６０ＭＰａ超の降伏応力値と、を有する、請求項１に記載のディスプレイフィルム。
【請求項３】
架橋ポリウレタン及びポリアクリレートポリマーを含み、２７℃以下のガラス転移温度及び０．５以上のＴａｎδピーク値を有する、透明なエネルギー散逸層と、
前記透明なエネルギー散逸層上に配置された透明な保護層と、
を備えるディスプレイフィルム。
【請求項４】
前記透明なエネルギー散逸層が、光開始剤及び触媒を更に含む、請求項１〜３のいずれか一項に記載のディスプレイフィルム。
【請求項５】
前記透明なエネルギー散逸層が、１重量％〜５０重量％の前記ポリアクリレートポリマーを含み、前記透明なエネルギー散逸層が、５０重量％〜９９重量％の前記架橋ポリウレタンポリマーを含む、請求項１〜４のいずれか一項に記載のディスプレイフィルム。
【請求項６】
前記ポリアクリレートポリマーが架橋されている、請求項１〜５のいずれか一項に記載のディスプレイフィルム。
【請求項７】
前記ポリアクリレートポリマーが、ポリアクリレートホモポリマーである、請求項１〜６のいずれか一項に記載のディスプレイフィルム。
【請求項８】
前記ポリアクリレートポリマーが、アクリレート及びウレタンセグメント、又はアクリレート及びウレタン相溶性セグメントを含む、請求項１〜７のいずれか一項に記載のディスプレイフィルム。
【請求項９】
前記透明なエネルギー散逸層が、１５℃以下、１０℃以下、５℃以下、又は０℃以下、又は−５℃以下、又は−４０〜１５℃の範囲内、又は−３０〜１５℃の範囲内、又は−３０〜１０℃の範囲内、又は−３０〜５℃の範囲内、又は−３０〜０℃の範囲内、又は−２０〜０℃の範囲内のガラス転移温度を有する、請求項１〜８のいずれか一項に記載のディスプレイフィルム。
【請求項１０】
前記透明なエネルギー散逸層が、０．５以上、又は０．８以上、又は１．０以上、又は１．２以上、又は０．５〜２．５の範囲内、又は１〜２．５の範囲内のＴａｎδピーク値を有し、前記架橋ポリウレタンが、０．１〜１．０ｍｏｌ／ｋｇ、又は０．２〜０．９ｍｏｌ／ｋｇ、又は０．３７〜０．７４ｍｏｌ／ｋｇの範囲内の架橋密度を有する、請求項１〜９のいずれか一項に記載のディスプレイフィルム。
【請求項１１】
前記保護層が、ナノ粒子を含み、かつ２〜３０マイクロメートル、又は２〜１５マイクロメートル、又は３〜１０マイクロメートルの範囲の厚さを有するハードコート層である、請求項３〜１０のいずれか一項に記載のディスプレイフィルム。
【請求項１２】
前記透明なエネルギー散逸層が、７５〜２００マイクロメートル、又は１００〜２００マイクロメートル、又は１５０〜２００マイクロメートルの範囲の厚さを有する、請求項１〜１１のいずれか一項に記載のディスプレイフィルム。
【請求項１３】
前記ディスプレイフィルムが、８５〜３５０マイクロメートル、又は１００〜３００マイクロメートル、又は１５０〜２５０マイクロメートルの範囲の厚さを有する、請求項１〜１２のいずれか一項に記載のディスプレイフィルム。
【請求項１４】
光学ディスプレイと、
請求項１〜１３のいずれか一項に記載のディスプレイフィルムと、
前記ディスプレイフィルムを前記光学ディスプレイに固定する光学接着剤層と、
を備える物品。
【請求項１５】
ポリウレタン前駆体材料をポリアクリレート前駆体材料と組み合わせて前駆体混合物を形成することと、
前記前駆体混合物内の前記ポリアクリレート前駆体材料を選択的に重合して、ｂ段階材料を形成することと、
前記ｂ段階材料内の前記ポリウレタン前駆体材料を選択的に架橋して、透明なエネルギー散逸層を形成することと、
を含み、前記透明なエネルギー散逸層は、架橋ポリウレタン及びポリアクリレートポリマーを含み、前記透明なエネルギー散逸層は、２７℃以下のガラス転移温度及び０．５以上のＴａｎδピーク値を有する、方法。